(57)【要約】　　　（修正有）【課題】太陽熱を利用して、内部に収容された液体を加熱する太陽熱を利用した加熱装置を備える保温容器を提供する。【解決手段】筒状の容器本体１０と、蓋とする加熱装置（２０）、を備え、容器本体１０は開口部１２を有し、その開口部１２に外ねじ山１４が設けられ、加熱装置２０、は、容器本体１０の開口部１２に設置されると共に、透明な受熱カバー２２、と、螺合リング２４、と、熱吸収体とを有することを特徴とする。【選択図】　図１
0003097682.tif 000002
【実用新案登録請求の範囲】
【請求項１】
筒状の容器本体（１０）と、蓋とする加熱装置（２０）、（３０）を備え、容器本体（１０）は開口部（１２）を有し、その開口部（１２）に外ねじ山（１４）が設けられ、加熱装置（２０）、（３０）は、容器本体（１０）の開口部（１２）に設置されると共に、透明な受熱カバー（２２）、（３２）と、螺合リング（２４）、（３４）と、熱吸収体とを有することを特徴とする、太陽熱を利用した加熱装置を備える保温容器。
【請求項２】
加熱装置（２０）の受熱カバー（２２）はガラスからなり、一端に開口が設けられ、他端に封閉端が設けされる構造であり、その開口を有する受熱カバー（２２）の一端に螺合リング（２４）が設けられ、受熱カバー（２２）と螺合リング（２４）との間に真空室（２２２）が設けられ、更に、螺合リング（２４）に開口部（１２）の外ねじ山（１４）と対応する内ねじ山（２４２）が設けられることにより、加熱装置（２０）を容器本体（１０）に螺合し、又、熱吸収体は、二枚の受熱板（２６）及び伝熱ロッド（２８）を備え、伝熱ロッド（２８）の一端に受熱板（２６）が設置されると共に、他端が加熱装置（２０）から容器本体（１０）の内部に挿設され、螺合リング（２４）に断熱層（２４４）が設けられることにより、受熱カバー（２２）と螺合リング（２４）との間の空間が真空室（２２２）となり、受熱カバー（２２）の内部に熱吸収体が設けられることにより、太陽熱を吸収して、容器本体（１０）の内部に収容される液体を加熱することを特徴とする、請求項１に記載の太陽熱を利用した加熱装置を備える保温容器。
【請求項３】
加熱装置（３０）は、透明な受熱カバー（３２）と、螺合リング（３４）と、熱吸収体とを有し、その中の受熱カバー（３２）は、内壁と外壁を有する二層構造を成すと共に、内壁と外壁との間に真空室（３２２）が設けられ、内壁の内面に熱吸収体である熱吸収シート（３６）が設けられ、その熱吸収シート（３６）で太陽熱を吸収することにより、受熱カバー（３２）の内部における液体を加熱することを特徴とする、請求項１に記載の太陽熱を利用した加熱装置を備える保温容器。
【考案の詳細な説明】
【０００１】
【考案の属する技術分野】
本考案は、特に太陽熱を利用して、内部に収容された液体を加熱する太陽熱を利用した加熱装置を備える保温容器に関するものである。
【０００２】
【従来の技術】
従来の保温容器は、二層構造の壁を有すると共に、壁同士の間を真空構造とすることにより、優れた断熱効果を達成できるので、内部に収容される液体を一定時間保温又は保冷することができる。
【０００３】
【考案が解決しようとする課題】
しかしながら、このような構造を有する保温容器では、内部に収容された液体を再び加熱することができず、単に液体を保温又は保冷することしかできないため、屋外に長時間出かけた場合には、保温又は保冷の効果が弱ってしまう。
【０００４】
そこで、案出されたのが本考案であって、太陽熱を利用して、内部に収容された液体を加熱する太陽熱を利用した加熱装置を備える保温容器を提供することを目的としている。
【０００５】
【課題を解決するための手段】
本願の請求項１の考案は、筒状の容器本体（１０）と、蓋とする加熱装置（２０）、（３０）を備え、容器本体（１０）は開口部（１２）を有し、その開口部（１２）に外ねじ山（１４）が設けられ、加熱装置（２０）、（３０）は、容器本体（１０）の開口部（１２）に設置されると共に、透明な受熱カバー（２２）、（３２）と、螺合リング（２４）、（３４）と、熱吸収体とを有することを特徴とする太陽熱を利用した加熱装置を備える保温容器及び、
本願の請求項２の考案は、加熱装置（２０）の受熱カバー（２２）はガラスからなり、一端に開口が設けられ、他端に封閉端が設けされる構造であり、その開口を有する受熱カバー（２２）の一端に螺合リング（２４）が設けられ、受熱カバー（２２）と螺合リング（２４）との間に真空室（２２２）が設けられ、更に、螺合リング（２４）に開口部（１２）の外ねじ山（１４）と対応する内ねじ山（２４２）が設けられることにより、加熱装置（２０）を容器本体（１０）に螺合し、又、熱吸収体は、二枚の受熱板（２６）及び伝熱ロッド（２８）を備え、伝熱ロッド（２８）の一端に受熱板（２６）が設置されると共に、他端が加熱装置（２０）から容器本体（１０）の内部に挿設され、螺合リング（２４）に断熱層（２４４）が設けられることにより、受熱カバー（２２）と螺合リング（２４）との間の空間が真空室（２２２）となり、受熱カバー（２２）の内部に熱吸収体が設けられることにより、太陽熱を吸収して、容器本体（１０）の内部に収容される液体を加熱することを特徴とする請求項１に記載の太陽熱を利用した加熱装置を備える保温容器及び、
本願の請求項３の考案は、加熱装置（３０）は、透明な受熱カバー（３２）と、螺合リング（３４）と、熱吸収体とを有し、その中の受熱カバー（３２）は、内壁と外壁を有する二層構造を成すと共に、内壁と外壁との間に真空室（３２２）が設けられ、内壁の内面に熱吸収体である熱吸収シート（３６）が設けられ、その熱吸収シート（３６）で太陽熱を吸収することにより、受熱カバー（３２）の内部における液体を加熱することを特徴とする請求項１に記載の太陽熱を利用した加熱装置を備える保温装置、
を提供する。
【０００６】
【作用】
本考案は上記の課題を解決するものであり、容器本体の開口部に設けられる太陽熱を吸収できる加熱装置により、容器本体の内部における液体を加熱するので、保温容器は、単に液体を保温するだけでなく、液体を再び加熱することもできる。
【０００７】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【０００８】
図１は、本考案に係わる太陽熱を利用した加熱装置を備える保温容器の一部分解断面図であり、図２は本考案に係わる太陽熱を利用した加熱装置を備える保温容器の一部断面図であり、図３は本考案に係わる太陽熱を利用した加熱装置を備える保温容器の他の実施例を示す一部断面図である。
【０００９】
【考案の実施の形態】
図１及び図２に示すように、本考案に係わる太陽熱を利用した加熱装置を備える保温容器は、筒状の容器本体（１０）と、蓋とする加熱装置（２０）を備え、容器本体（１０）は開口部（１２）を有し、その開口部（１２）に外ねじ山（１４）が設けられ、加熱装置（２０）は、容器本体（１０）の開口部（１２）に設置される。
【００１０】
前記加熱装置（２０）は、透明な受熱カバー（２２）と、螺合リング（２４）と、熱吸収体とを有し、受熱カバー（２２）はガラスから成り、一端に開口が設けられ、他端に封閉端が設けられる構造であり、その開口を有する受熱カバー（２２）の一端に螺合リング（２４）が設けられ、受熱カバー（２２）と螺合リング（２４）との間に真空室（２２２）が設けられ、更に、螺合リング（２４）に開口部（１２）の外ねじ山（１４）と対応する内ねじ山（２４２）が設けられることにより、加熱装置（２０）を容器本体（１０）に螺合し、又、受熱カバー（２２）の内部に熱吸収体が設けられることにより、太陽熱を吸収して、容器本体（１０）の内部に収容される液体を加熱する。
【００１１】
本考案に係わる太陽熱を利用した加熱装置を備える保温容器における熱吸収体は、二枚の受熱板（２６）と伝熱ロッド（２８）を備え、その伝熱ロッド（２８）の一端に受熱板（２６）が設置されると共に、他端が加熱装置（２０）から容器本体（１０）の内部に挿設され、螺合リング（２４）に断熱層（２４４）が設けられることにより、受熱カバー（２２）と螺合リング（２４）との間の空間が真空室（２２２）となる。又、断熱層（２４４）には伝熱ロッド（２８）を螺合リング（２４）から延出させるための貫通孔（符号なし）が形成される。
【００１２】
本考案に係わる太陽熱を利用した加熱装置を備える保温容器を使用する場合は、加熱装置（２０）の受熱板（２６）によって太陽熱を吸収すると共に、伝熱ロッド（２８）によってこの吸収した太陽熱を容器本体（１０）の内部に収容される液体に熱伝導させることにより、液体を加熱し、又、加熱装置（２０）には真空室（２２２）及び断熱層（２４４）が設けられるので、優れた断熱及び保温効果を達成できる。
【００１３】
図３に示すように、本考案に係わる太陽熱を利用した加熱装置を備える保温容器における加熱装置（３０）の他の実施例では、透明な受熱カバー（３２）と、螺合リング（３４）と、熱吸収体とを有する構成であり、その内の受熱カバー（３２）は、内壁と外壁を有する二層構造であると共に、内壁と外壁との間には真空室（３２２）が設けられると共に、内壁の内面に熱吸収体である熱吸収シート（３６）が設けられ、この熱吸収シート（３６）によって太陽熱を吸収し、受熱カバー（３２）の内部における液体を加熱する
【００１４】
又、液体を加熱する場合は、容器本体（１０）を倒して、液体を螺合リング（３４）を通じて受熱カバー（３２）の内部に流れ込ませ、熱吸収シート（３６）により加熱を行う。
【００１５】
【考案の効果】
本考案は上記の構成を有し、容器本体の開口部に設けられる太陽熱を吸収できる加熱装置により、容器本体の内部における液体を加熱するので、保温容器は、単に液体を保温するだけでなく、液体を再び加熱することもできる。
【図面の簡単な説明】
【図１】本考案に係わる太陽熱を利用した加熱装置を備える保温容器の一部分解断面図である。
【図２】本考案に係わる太陽熱を利用した加熱装置を備える保温容器の一部断面図である。
【図３】本考案に係わる太陽熱を利用した加熱装置を備える保温容器の他の実施例を示す一部断面図である。
【符号の説明】
１０　　　容器本体
１２　　　開口部
１４　　　外ねじ山
２０　　　加熱装置
２２　　　受熱カバー
２２２　　真空室
２４　　　螺合リング
２４２　　内ねじ山
２４４　　断熱層
２６　　　受熱板
２８　　　伝熱ロッド
３０　　　加熱装置
３２　　　受熱カバー
３２２　　真空室
３４　　　螺合リング
３６　　　熱吸収シート
【図１】
0003097682.tif 000003
【図２】
0003097682.tif 000004
【図３】
0003097682.tif 000005